(57)【要約】  車両用ドアアウトサイドハンドル装置であって、ドア側壁からの突出部に車両後方に向けて開設された透孔を有し、前記透孔内に配置した光学レンズと撮像素子により車両側壁を含む車両後方画像を取得する。
2018038177.tif 000002
【特許請求の範囲】
【請求項１】
ドア側壁からの突出部に車両後方に向けて開設された透孔を有し、
前記透孔内に配置した光学レンズと撮像素子により車両側壁を含む車両後方画像を取得する車両のドアアウトサイドハンドル装置。
【請求項２】
ハンドルベースに連結されたハンドル本体を有し、
車両後方からの入射光を車幅内方に向けて反射させるミラーが、前記ハンドル本体に固定され、
前記ミラーに映る車両後方の鏡像を撮影する光学レンズと撮像素子とが、前記ハンドルベースに固定される車両のドアアウトサイドハンドル装置。
【請求項３】
ドアの外側意匠面を構成するドアパネルと、
前記ドアパネルに配設されるハンドル装置と、
を有し、
前記ハンドル装置は、
ハンドル本体と、
前記ハンドル本体に搭載され、車両の後方及び後側方を撮像する撮像部と、
を有し、
前記ハンドル本体は、前記ドアパネルの内方へと格納されて、前記ハンドル本体の外面が前記ドアパネルの外面に対して略フラットに並んだ格納状態となる車両用ドア。
【請求項４】
前記ハンドル本体は、
前記ハンドル本体が前記ドアパネルより外方に突出して、前記撮像部が前記ドアパネルの外方に露出する非格納状態に切り替わる請求項３に記載された車両用ドア。
【請求項５】
前記非格納状態は、
前記ハンドル本体の操作が可能な状態まで突出した突出状態と、
前記ハンドル本体の一部が部分的に突出して、前記撮像部が前記ドアパネルの外方に露出する中間状態とを含む請求項４に記載された車両用ドア。
【請求項６】
前記ハンドル装置は、
前記ハンドル本体を変位させる駆動機構を有し、
前記ハンドル本体は、前記ドアパネルから外方に向かって突出する突出量が、車両の状態に応じて切り替わる請求項３又は請求項４に記載された車両用ドア。
【請求項７】
前記ドアに設けられたドアロック装置が施錠状態の駐車状態にある場合、前記ハンドル本体は前記格納状態となり、
車両の非走行状態において前記ドアロック装置が解錠状態にある場合に、前記ハンドル本体は前記突出状態となり、
車両が走行状態にある場合に、前記ハンドル本体は前記中間状態となる請求項６に記載された車両用ドア。
【請求項８】
前記車両用ドアは、当該車両用ドアが閉じられた際に、前記ドアパネルの車両後方に位置する車体パネルとともに車体側面を構成し、
前記車体側面は、少なくとも前記ハンドル本体から車両の後方に至る凹状の溝部を有する請求項３から７のいずれか１項に記載された車両用ドア。
【請求項９】
請求項３から８のいずれか１項に記載された車両用ドアを有する車両。
【発明の詳細な説明】
【技術分野】
【０００１】
本開示は、車両用ドアアウトサイドハンドル装置、車両用ドア及び車両に関するものである。
【背景技術】
【０００２】
特許文献１は、カメラを格納して車外の画像をモニタリング可能なドアアウトサイドハンドル装置を開示する。ドアハンドルには車幅方向に光軸が設定された光学レンズと撮像素子とが配置される。【０００３】
また、従来より、自動車などの車両には、ドアミラー等のアウターミラーが設けられている。このアウターミラーは、運転者が車両の後方及び後側方を視認する際に利用されるものであり、車体側面に外方へと膨出するように設けられている。このようなアウターミラーにあっては、車両走行時の空気抵抗を増加させる要因となっており、また、ミラーの形状や大きさには制限があるため、運転者の死角となる領域が発生してしまうことがあった。【０００４】
そこで、特許文献２は、アウターミラーに代えてカメラなどの撮像手段を車両に搭載した電子ミラー装置を開示する。この電子ミラー装置においては、撮像手段により車両の後方及び後側方が撮像され、撮像した画像は車室内のモニターに表示される。【０００５】
また、特許文献３は、車両走行時の障害物を検知するなどの目的で、車両のサイドドアのアウトサイドハンドルにカメラを搭載する技術を開示する。
【先行技術文献】
【特許文献】
【０００６】
【特許文献１】日本国特開２００５-１４６７３号公報
【特許文献２】日本国特開２０１６−１２４３９１号公報
【特許文献３】日本国特開２０１１−１０５０５８号公報
【発明の概要】
【発明が解決しようとする課題】
【０００７】
しかし、上述した従来例において、撮像素子により得られる画像は車両の側方画像であり、画像内に車両の側壁部を含むことができないために、取得画像の自位置に対する相対位置を知ることはできず、サイドミラーの役割を果たすことができないという問題がある。【０００８】
また、近年の車両では、意匠的な理由からフラッシュサーフェイス化が求められており、アウターミラーに代えて電子ミラー装置を採用することは、フラッシュサーフェイス化の一役を担うものとなる。電子ミラー装置は、車両の後方視界を確保する位置に撮像手段を配置する必要があり、アウターミラーが無くなった車両においては、車両用ドアの外側に配設されたハンドル装置へ撮像手段を搭載することが検討されている。【０００９】
しかし、フラッシュサーフェイス化の潮流はハンドル装置にあっても例外ではなく、車体との一体性に優れ、意匠性に富んだ構造が求められている。【００１０】
本開示は、以上の欠点を解消すべくなされたものであって、サイドミラーとしての機能を発揮させることのできる車両のアウトサイドハンドル装置、車両走行時における後方視界の確保と、車体のフラッシュサーフェイス化による意匠性の向上との両立を図ることができる車両用ドア及び車両の提供を目的とする。
【課題を解決するための手段】
【００１１】
本開示によれば、
ドア側壁からの突出部に車両後方に向けた開設された透孔１を有し、
該透孔１内に配置した光学レンズ２と撮像素子３により車両側壁を含む車両後方画像を取得する車両用ドアアウトサイドハンドル装置を提供する。【００１２】
本開示において、車両の側壁を含む車両後方画像を取得可能であるために、車両の側壁を基準に自位置を正確に認識することができる。この結果、サイドミラー装置として使用することが可能になり、車幅方向に飛び出すサイドミラー装置を廃止して車両側方への突出部を少なくすることができる。【００１３】
また、本開示の車両用ドアアウトサイドハンドル装置は、
ハンドルベース４に連結されたハンドル本体５を有し、
車両後方からの入射光を車幅内方に向けて反射させるミラー６が、前記ハンドル本体５に固定されるとともに、
前記ミラー６に映る車両後方の鏡像を撮影する光学レンズと撮像素子とが、前記ハンドルベース４に固定されてもよい。【００１４】
本開示によれば、
車両用ドアは、
ドアの外側意匠面を構成するドアパネルと、
ドアパネルに配設されるハンドル装置と、
を有し、
ハンドル装置は、ハンドル本体と、前記ハンドル本体に搭載され、車両の後方及び後側方を撮像する撮像部と、を有し、
前記ハンドル本体は、ハンドル本体がドアパネルの内方へと格納されて、ハンドル本体の外面がドアパネルの外面に対して略フラットに並んだ格納状態となる。【００１５】
ここで、本開示の車両用ドアは、
前記ハンドル本体はドアパネルより外方に突出して、撮像部がドアパネルの外方に露出する非格納状態に切り替わってもよい。
また、本開示の車両用ドアは、
前記非格納状態は、ハンドル本体の操作が可能な状態まで突出した突出状態と、ハンドル本体の一部が部分的に突出して、撮像部がドアパネルの外方に露出する中間状態とを含んでもよい。【００１６】
また、本開示の車両用ドアは、
前記ハンドル装置は、ハンドル本体を変位させる駆動機構を有し、
前記ハンドル本体は、ドアパネルから外方に向かって突出する突出量が、車両の状態に応じて切り替わってもよい。【００１７】
また、本開示の車両用ドアは、
ドアに設けられたドアロック装置が施錠状態の駐車状態にある場合、ハンドル本体は格納状態となり、車両の非走行状態においてドアロック装置が解錠状態にある場合に、ハンドル本体は突出状態となり、車両が走行状態にある場合に、ハンドル本体は中間状態となってもよい。【００１８】
また、本開示の車両用ドアは、
当該車両用ドアが閉じられた際に、ドアパネルの車両後方において車体パネルとともに車体側面を構成し、前記車体側面は、少なくともハンドル本体から車両の後方に至る凹状の溝部を有してもよい。【００１９】
また、本開示は、
前記車両用ドアを備える車両を提供する。
【発明の効果】
【００２０】
本開示によれば、車両の後方画像を取得することができるために、サイドミラーとしての機能を発揮させることができる。また、車両走行時における後方視界の確保と、車体のフラッシュサーフェイス化による意匠性の向上との両立を図ることができる。
【図面の簡単な説明】
【００２１】
【図１】本開示の第１の実施形態を示す正面図である。
【図２】図１の断面図で、図２（ａ）は図１の２Ａ-２Ａ線断面図、図２（ｂ）は図２（ａ）の要部拡大図、図２（ｃ）は撮像モジュールの正面図である。
【図３】図１の変形例を示す正面図である。
【図４】図３の断面図で、図４（ａ）は図３の４Ａ-４Ａ線断面図、図４（ｂ）は図４（ａ）の要部拡大図である。
【図５】本開示の第２の実施形態の要部を示す図で、図５（ａ）はカメラユニットの装着を示す図、図５（ｂ）は図５（ａ）の５Ｂ-５Ｂ線断面図、図５（ｃ）は図５（ａ）の５Ｃ-５Ｃ線断面図である。
【図６】図５（ａ）から図５（ｃ）の組み立て完了状態を示す図で、図６（ａ）は通常運用モードを示す断面図、図６（ｂ）はカメラユニットを回転駆動した状態を示す断面図、図６（ｃ）はカメラユニットを９０°回転駆動した状態を示す断面図である。
【図７】本開示の第３の実施形態を示す正面図である。
【図８】図７の断面図で、図８（ａ）は図７の８Ａ-８Ａ線断面図、図８（ｂ）は図８（ａ）の要部拡大図である。
【図９】第４の実施形態に係る車両用ドアが適用された車両を示す説明図である。
【図１０】第４の実施形態に係る車両のシステム構成を示すブロック図である。
【図１１】図１1（ａ）から図１１（ｃ）は、アウトサイドハンドルの状態を示す説明図である。
【図１２】アウトサイドハンドルの切り替え制御の流れを例示するフローチャートである。
【図１３】第５の実施形態に係る車両用ドアが適用された車両の車体側面を示す説明図である。
【図１４】図１４（ａ）から図１４（ｃ）は、凹状の溝部の変形例を説明する図である。
【発明を実施するための形態】
【００２２】
（第１の実施形態）
図１、２に本開示の第１の実施形態を示す。本実施形態によるアウトサイドハンドルは、車両側壁を構成するドアパネル７裏面に沿って固定されるハンドルベース４と、ハンドルベース４に連結されるハンドル本体５とを有する。
【００２３】
ハンドル本体５の前端にはヒンジ突部５ａを備えており、該ヒンジ突部５ａをドア内に挿入した後、ハンドル本体５を前方にスライドさせてハンドルベース４に連結される。このようにして装着されたハンドル本体５の後方へのスライドを規制して連結状態を保持するために、ハンドルベース４にストッパ８が装着される。
【００２４】
ハンドルベース４に連結した状態で、ハンドル本体５を図２（ａ）から図２（ｃ）に示す初期位置から回転中心（ＣＨ）周りに矢印ＲＨ方向に回転操作すると、ハンドル本体５の後端に形成される作動段部５ｂにより中継レバー９の突部９ａが表面側に引き出されて中継レバー９が回転中心（ＣＬ）周りに回転し、ケーブル装置１０ａを介してドアラッチ装置１０を作動させる。
【００２５】
図２（ａ）から図２（ｃ）に示すように、上記ストッパ８には、後方に向けて透孔１が開設され、その最奥部に光学レンズ２と撮像素子３を含む撮像モジュール１１が収納される。
【００２６】
撮像モジュール１１は、透孔１の前端部に形成された取付凹部８ａに前方から後方、すなわち、図２（ｂ）における矢印（Ａ１１）方向に挿入して所定位置に固定され、透孔１は該透孔１の後端部に固定される透光性を有する保護カバー１２により閉塞される。
【００２７】
撮像モジュール１１の固定姿勢、画角、透孔１の大きさ、あるいは長さは、車両のドアパネル７、すなわち、車両の側壁面が画面に含まれ、自位置を判断可能な画像を取得可能なように決定されるのが望ましい。
【００２８】
また、撮像モジュール１１の固定姿勢は、図２（ｂ）に示すように、光学レンズ２の光軸（ＯＡ）が、車両の側壁面にほぼ平行に配置されており、撮像素子３により車両の側壁に沿う後方画像を取得することができるように決定することもできる。
【００２９】
したがって、本実施形態におけるアウトサイドハンドルの撮像モジュール１１の出力を適宜の増幅手段、およびインターフェース手段等の画像処理部１４を経由してモニタ装置１３に接続すると、車両の側部後方を写すことが可能になり、サイドミラーに代わる車両の側部後方視認装置を構成することができる。
【００３０】
この場合、スペースの関係で光学レンズ２の実効口径が大きく取れなくて画像が暗くなる場合には、撮像モジュール１１からの出力を明度調整して明るさを増すと、視認性が向上する。
【００３１】
さらに、四ドア車両のように、ハンドル装置が前後方向に並ぶ場合、後方のハンドル装置からのみ後方画像を取得すれば良いが、前後のハンドル装置から後方画像を取得すると、運転席側方からの画像も得ることができる。
【００３２】
前方ハンドル装置からの画像取得に際しては、前方ハンドル装置からの取得画像内に後方ハンドル装置が映り込むが、画像内における後方ハンドル装置の面積が過大となって視認性に影響を及ぼす場合には、前方ハンドル装置による取得画像に画像処理を施して視認性を向上させることができる。
【００３３】
画像処理としては、予め後方ハンドル装置を撮影して取得画像内の映り込み範囲を記憶しておき、この範囲を後方ハンドル装置からの取得画像により置き換える処理を使用することができる。この場合、置換え用画像には、撮影位置の違いによる画像の変化を修正処理を加え、画像の連続性を維持するのが望ましい。
【００３４】
また、画像処理時の映り込み範囲の特定方法としては、前方ハンドル装置からの取得画像にエッジ抽出処理等を施して直接領域を決定したり、あるいは後方ハンドル装置の適宜箇所に領域決定用のマークを設定し、画像中のマークを基準に写り込み領域を決定することもできる。
【００３５】
図３、図４（ａ）から図４（ｃ）に図１の変形例を示す。本例は、撮像モジュール１１をハンドル本体５に収容した変形例を示すもので、ハンドル装置は、ハンドル本体５と、ハンドル本体５の裏面に回転中心（Ｃ１５）周りに回転操作可能に連結される操作レバー１５とを有して構成され、ハンドル本体５をハンドルベース４を使用することなく直接ドアパネル７に固定される。
【００３６】
なお、以下の説明において、上述した実施の形態と実質的に同一の構成要素は図中に同一符号を付して説明を省略する。
【００３７】
ハンドル本体５の手掛部５ｃを握るようにして操作レバーを回転させると、第２中継レバー１６が回転中心（Ｃ１６）周りに図４（ａ）において時計回りに回転し、図外のドアラッチ装置に連結される中継レバー９が回転する。
【００３８】
撮像モジュール１１は、ハンドル本体５の後端部に配置され、ハンドル本体５の後方に向けて開設された透孔１から後方画像が取得される。撮像モジュール１１は、ハンドル本体５の天井面に形成される取付凹部５ｄに裏面側から嵌合することにより装着される。ハンドル本体５は裏面側に開放されて形成されるために、撮像モジュール１１の周囲には封止樹脂等により封止するのが望ましい。
【００３９】
（第２の実施形態）
図５（ａ）から図５（ｃ）、図６（ａ）から図６（ｃ）に本開示の第２の実施形態を示す。本実施形態は、撮像モジュール１１を回転操作可能に構成したもので、撮像モジュール１１は、後方に開放された円柱状のモジュールケース１７に固定される。モジュールケース１７には図５（ｂ）に示すように、後方に向けて開放されたモジュール収容凹部１７ａが形成されており、撮像モジュール１１は図５（ｂ）の左側からモジュール収容凹部１７ａに嵌合して装着される。
【００４０】
撮像モジュール１１を組み込んだモジュールケース１７はユニットベース１８に連結されてカメラユニット１９が構成される。ユニットベース１８はベースプレート１８ａから一対のヒンジ翼片１８ｂを立設して形成される。上記モジュールケース１７は、両側壁に突設される軸部１７ｂをヒンジ翼片１８ｂの軸受け凹部１８ｃに嵌合させることによりユニットベース１８に対して空転自在に連結される。
【００４１】
また、ベースプレート１８ａ上には、アクチュエータとしてのモータ２０が固定されており、モータ２０の駆動軸２０ａに固定される第１ギア２１が、上記モジュルケース１７から突出する軸部１７ｂに空転不能に連結される第２ギア２２に噛合する。
【００４２】
一方、ストッパ８には、裏面側に向けて開口し、上記カメラユニット１９を裏面側から挿入可能なユニット収容凹部８ｂが形成される。ユニット収容凹部８ｂの天井壁は、モジュールケース１７の外周曲率にほぼ一致する曲面により形成されるとともに、ユニット収容凹部８ｂの側壁には、カメラユニット１９のヒンジ翼片１８ｂと、ヒンジ翼片１８ｂから突出する軸部１７ｂの先端部が嵌合可能なスライド凹部２３が形成されており、カメラユニット１９は、ストッパ８のユニット収容凹部８ｂの裏面への開口から挿入することにより所定位置に固定することができる。
【００４３】
さらに、上記ストッパ８には、撮像モジュール１１の光軸（ＯＡ）を中心とし、後方、および表面側に向けて開口する透孔１が形成される。図５（ｃ）に示すように、後方を向く透孔１は、表面側の壁面が水平方向に対して適宜角度（θ）だけ表面側に振られている。
【００４４】
以上の構成の後、通常の運用時において、図６（ａ）に示すように撮像モジュール１１は光軸（ＯＡ）が水平となる第１回転位置に保持されており、この状態でドアパネル７を含む後方画像がモニタ装置１３に表示される。また、図６（ａ）に示す状態で、表面側に開口する透孔１はモジュールケース１７の外周の曲率面により閉塞され、外光の侵入が防止される。
【００４５】
この状態から、モータを駆動して透孔１の角度（θ）だけ振れた図６（ｂ）に示す第２回転位置と、第１回転角度から９０度回転した第３回転位置との間を回転させることができる。回転位置の制御は、例えば、運転席にセットされた視認角度調整部を操作することにより行うことができ、車両側方にやや振れた画像を取得する場合に、第２回転位置を選択することができる。
【００４６】
これら第２、第３回転位置において、光を導入しない透孔１はモジュールケース１７の外周の曲率面により閉塞され、外光の侵入が防止される。
【００４７】
さらに、例えば、電子キーが室内にないことを図外の車載コンピュータが検出した場合には、第３回転位置まで回転駆動されて取得画像を認証用画像として使用したり、あるいは取得画像を録画して防犯カメラとして利用することができる。第３回転位置で防犯カメラとして使用する場合には、保護カバー１２に代えて魚眼レンズを装着して撮像範囲を拡張することができる。
【００４８】
（第３の実施形態）
図７、図８（ａ）、図８（ｂ）に本開示の第３の実施形態を示す。本実施形態のアウトサイドハンドル装置は、図１に示す実施の形態と同様に、ドアパネル７裏面に固定されるハンドルベース４にハンドル本体５を連結して形成される。ハンドル本体５を回転中心（ＣＨ）周りに回転操作すると、作動段部５ｂにより中継レバー９の突部が表面側に引き出されて中継レバー９が回転し、ケーブル装置１０ａを介してドアラッチ装置１０を作動させる。
【００４９】
本実施形態において、ハンドル本体５には実装容積が比較的小さくて済むミラー６が配置され、大きな容積を要する撮像モジュール１１がハンドルベース４側に配置される。
【００５０】
本例ではミラー６としてプリズムが使用され、透孔１の最奥部に形成されたミラー用座面５ｅに固定される。また、透孔１内への塵埃の侵入を防止するために、ハンドル本体５の裏面に向けた開口は閉塞板２４により閉塞される。この閉塞板２４は、透孔１から直接撮像モジュール１１への入射を防止するために不透明材料により形成され、プリズム６との接触部のみが透明材料により形成される。
【００５１】
一方、撮像モジュール１１は不透明材料により形成される筒体２５に覆われて適宜手段によりハンドルベース４に固定される。筒体２５内への塵埃の侵入を防止するために、筒体２５の開口端は透明の保護カバー１２により閉塞される。
【００５２】
したがって、本例において、車両後方から透孔１に導入された光はプリズム６により反射して撮像モジュール１１に導かれ、車両後方の画像が得られる。
（付記）
（付記１）
組み込んだ光学レンズ２と撮像素子３により車両側壁を含む車両後方画像を取得可能な車両のドアアウトサイドハンドル装置。
（付記２）
光軸（ＯＡ）を車両の側壁面に沿わせて配置した光学レンズ２と、光学レンズ２により結像された車両後方画像を取得する撮像素子３とを組み込んだ車両のドアアウトサイドハンドル装置。
（付記３）
前記撮像モジュール１１は、光学レンズ２の光軸（ＯＡ）が車幅方向に一致するまで回転可能な付記２記載の車両のドアアウトサイドハンドル装置。
（付記４）
前記撮像モジュール１１は、不使用位置まで移動可能な付記１、２または３記載の車両のドアアウトサイドハンドル装置。
（付記５）
前記光学レンズ２、および撮像素子３がドア開放操作時の手掛けを提供するハンドル本体５に格納される付記１から４のいずれかに記載の車両のドアアウトサイドハンドル装置。
（付記６）
前端においてドア内に固定されるハンドルベース４に回転自在に連結され、ドア開放操作時の手掛けを提供するハンドル本体５と、
ドア表面に固定されて前記ハンドル本体５の後方への移動を規制する前記ストッパ８とを有し、
前記光学レンズ２、および撮像素子３がストッパ８に収容される付記１から５のいずれかに記載の車両のドアアウトサイドハンドル装置。
（付記７）
ハンドルベース４に連結されたハンドル本体５を有し、
前記ハンドル本体５に固定され、車両後方からの入射光を車幅内方に向けて反射させるミラー６が固定されるとともに、
ハンドルベース４には、前記ミラー６に映る車両後方の鏡像を撮影する光学レンズと撮像素子とが固定される車両のドアアウトサイドハンドル装置。
（付記８）
前記ミラー６が回転駆動可能な付記７記載の車両のドアアウトサイドハンドル装置。
（付記９）
光学レンズ２と、光学レンズ２により結像された車両後方画像を取得する撮像素子３とを組み込んで車両前後方向に並設される車両のドアアウトサイドハンドル装置と、
前方ハンドルによる取得画像による後方ハンドルの写り込み領域を後方ハンドルによる取得画像により補完する画像補完部とを有する車両の側部後方視認装置。
【００５３】
（第４の実施形態）
以下、本実施形態に係る車両用ドアが適用された車両Ｃについて説明する。ここで、図９は、第４の実施形態に係る車両用ドアが適用された車両Ｃを示す説明図である。図１０は、本実施形態に係る車両Ｃのシステム構成を示すブロック図である。本実施形態に係る車両Ｃは、例えば、左右一対のフロントサイドドア１０１、左右一対のリアサイドドア１０２を備えるタイプの自動車である。以下、リアサイドドア１０２を例示して説明を行う。
【００５４】
リアサイドドア１０２は、ドアアウタパネル１０３とドアインナパネル（図示せず）とを備えている。ドアアウタパネル１０３は、リアサイドドア１０２の外側意匠面を構成する金属製のドアパネルである。一方、ドアインナパネルは、車室の壁面パネルの一部を構成する金属製のドアパネルであり、当該ドアインナパネルの車室側には内装部材であるドアトリムが装着されている。このリアサイドドア１０２は、リアサイドドア１０２が閉じられた際に、ドアアウタパネル１０３の車両後方に連なる車体パネル１０７とともに車体側面を造形している。
【００５５】
リアサイドドア１０２には、ドアロック装置１３０が設けられている。リアサイドドア１０２は、ドアロック装置１３０が備えるラッチ１３１を車体に係止させることにより、閉塞状態が維持される。ドアロック装置１３０が備えるラッチ１３１は、後述するハンドル装置１１０により解除操作を行うことができる。具体的には、ドアロック装置１３０がアンロック状態（解錠状態）であれば、ハンドル装置１１０によるラッチ１３１の解除操作が許容される。一方、ドアロック装置１３０がロック状態（施錠状態）であれば、ハンドル装置１１０によるラッチ１３１の解除操作が禁止される。
【００５６】
ドアロック装置１３０のロック状態とアンロック状態との切り替えは、リアサイドドア１０２の車室側に設けられたロックノブの回動操作、若しくは、リモコンキーなどを通じた施錠信号（ドアロック装置１３０をアンロック状態からロック状態へと切り替える指示信号）又は解錠信号（ドアロック装置１３０をロック状態からアンロック状態へと切り替える指示信号）などにより可能である。
【００５７】
リアサイドドア１０２には、ラッチ１３１の解除操作を通じて、リアサイドドア１０２を開閉するハンドル装置１１０が設けられている。ハンドル装置１１０は、ケーブル装置（図示せず）を介してドアロック装置１３０と連結されている。
【００５８】
ハンドル装置１１０は、リアサイドドア１０２を開閉するためのアウトサイドハンドル（ハンドル本体）１１１を備えている。このアウトサイドハンドル１１１は、ドアアウタパネル１０３に配設されていて、リアサイドドア１０２の開閉操作時に持ち手（グリップ）となるものである。アウトサイドハンドル１１１は、例えば長尺形状を有しており、その長手方向を車両Ｃの前後方向に一致させた姿勢で、ドアアウタパネル１０３に配設されている。アウトサイドハンドル１１１の操作に伴って、その操作力がケーブル装置を介してドアロック装置１３０に伝達されると、ドアロック装置１３０のラッチ１３１が解除される。これにより、リアサイドドア１０２を開放することができる。
【００５９】
車両Ｃは、電子ミラー装置１２０を搭載している。電子ミラー装置１２０は、ドアミラーなどのアウターミラーに代えて、撮像手段を利用して後方視認を行う装置である。電子ミラー装置１２０は、車両Ｃに搭載された左右一対のカメラ１０５と、電子ミラー制御部１２１と、左右のカメラ１０５に対応する一対の表示部１２２と、を主体に構成されている。
【００６０】
カメラ１０５は、左右の車体側面にそれぞれ設けられており、本実施形態では、リアサイドドア１０２のアウトサイドハンドル１１１に搭載されている。個々のカメラ１０５は、アウトサイドハンドル１１１の後端部に、車両Ｃの後方を臨んだ状態で配設されており、車両Ｃの後方視界、すなわち、車両Ｃの後方及び後側方を撮像する（撮像部）。具体的には、右リアサイドドア１０２のカメラ１０５は、車両Ｃの後方及び右後側方を撮像し、左リアサイドドア１０２のカメラ１０５は、車両Ｃの後方及び左後側方を撮像する。カメラ１０５としては、ＣＭＯＳ、ＣＣＤなどの撮像素子と、広角レンズとを用いたデジタルカメラが好適である。
【００６１】
電子ミラー制御部１２１は、電子ミラー装置１２０を制御するものであり、これを機能的に捉えた場合、画像取得部１２１ａと、画像処理部１２１ｂと、画像表示部１２１ｃとで構成されている。電子ミラー制御部１２１としては、ＣＰＵ、ＲＯＭ、ＲＡＭ、Ｉ／Ｏインターフェースを主体に構成されたマイクロコンピュータを用いることができる。
【００６２】
画像取得部１２１ａは、左右のカメラ１０５に接続されており、左右のカメラ１０５から、車両Ｃの後方及び後側方を撮像した撮像画像を一定周期で取得する。画像処理部１２１ｂは、画像取得部１２１ａが取得した撮像画像を、所定の切り出し範囲に応じて切り出して、表示用画像を生成する。画像処理部１２１ｂは、左右のカメラ１０５に対応して、左右の表示用画像をそれぞれ生成する。画像表示部１２１ｃは、画像処理部１２１ｂから表示用画像を受け取ると、この画像を一対の表示部１２２に表示する。この際、画像処理部１２１ｂは、右側のカメラ１０５から処理した表示用画像を、当該カメラ１０５に対応する表示部１２２に表示し、左側のカメラ１０５から処理した表示用画像を、当該カメラ１０５に対応する表示部１２２に表示する。
【００６３】
一対の表示部１２２は、例えば有機ＥＬディスプレイ又は液晶ディスプレイ等である。各表示部１２２は、電子ミラー制御部１２１と接続されている。一対の表示部１２２は、例えば、車室内において、ウインドシールドの両側に位置する各フロントピラーの基端部に配置されている。右側のカメラ１０５に対応する表示部１２２は、右側のフロントピラーの基端部に配置され、左側のカメラ１０５に対応する表示部１２２は、左側のフロントピラーの基端部に配置されている。もっとも、一対の表示部１２２は、車室内の他の部位、例えばインストルメントパネルに設けられるものであってもよい。なお、一対の表示部１２２は、物理的に分離された２つのディスプレイで構成される必要はなく、単一のディスプレイの表示領域が２つに分割されて構成されるものであってもよい。
【００６４】
本実施形態の特徴の一つとして、ハンドル装置１１０におけるアウトサイドハンドル１１１が、ドアアウタパネル１０３の内外方向に移動可能に構成されている。アウトサイドハンドル１１１は、内外方向への変位を通じて、ドアアウタパネル１０３から外方に向かって突出する突出量を調整することができる。アウトサイドハンドル１１１の移動は、周知の駆動機構、例えば電動モータなどのアクチュエータ１１２により実現される。
【００６５】
ハンドル装置１１０は、アクチュエータ１１２の動作量、すなわち、アウトサイドハンドル１１１の突出量を制御するハンドル制御部１１３を備えており、ハンドル制御部１１３は、車両Ｃの状態に応じて突出量を切り替え制御する。
【００６６】
ハンドル制御部１１３は、車両Ｃの状態を検知するために、ＣＡＮなどを通じて各種の信号を取得することができる。ハンドル制御部１１３が検知する車両Ｃの状態は、車両Ｃが駐車状態であるか、車両Ｃが走行状態である、或いは、車両Ｃのドアロック装置１３０がロック・アンロック状態であるかといったことである。ハンドル制御部１１３は、シフトポジションの位置を示すシフトポジション信号、車速を示す車速信号、ドアロック装置１３０の動作状態を示す状態信号を通じて、車両Ｃの状態を特定する。
【００６７】
図１１（ａ）から図１１（ｃ）は、アウトサイドハンドル１１１の状態を示す説明図である。アウトサイドハンドル１１１は、格納状態又は非格納状態を取り得る。
【００６８】
格納状体は、図１１（ａ）に示すように、アウトサイドハンドル１１１の全域がドアアウタパネル１０３の内方へと格納されて、アウトサイドハンドル１１１の外面１１１ａがドアアウタパネル１０３の外面１０３ａに対して略フラットに並んだ状態である。
【００６９】
一方、非格納状態は、アウトサイドハンドル１１１がドアアウタパネル１０３より外方に突出して、カメラ１０５がドアアウタパネル１０３の外方に露出する状態である。この非格納状態は、突出状態と、中間状態とからなる２つの状態を含んでいる。
【００７０】
突出状態は、図１１（ｂ）に示すように、アウトサイドハンドル１１１がドアアウタパネル１０３から完全に突出した状態である。ここで、完全に突出した状態とは、乗員がアウトサイドハンドル１１１に手を掛けて、当該アウトサイドハンドル１１１の操作を行うことができる状態をいう。この突出状態は、後述する中間状態よりも、アウトサイドハンドル１１１が突出した状態にあることから、アウトサイドハンドル１１１に搭載されたカメラ１０５もドアアウタパネル１０３の外方に露出した状態となっている。
【００７１】
中間状態は、図１１（ｃ）に示すように、格納状態と突出状態との中間に位置する状態をいう。具体的には、中間状態は、アウトサイドハンドル１１１の一部が部分的に突出して、アウトサイドハンドル１１１に搭載されたカメラ１０５がドアアウタパネル１０３の外方に露出する状態をいう。本実施形態では、アウトサイドハンドル１１１の後端部１１１ｃにカメラ１０５が搭載されていることから、中間状態では、アウトサイドハンドル１１１の先端部１１１ｂを収容したまま、その後端部１１１ｃ側を部分的に突出した状態とされている。
【００７２】
このように、本実施形態に係るアウトサイドハンドル１１１は、大きく分けると格納状態及び非格納状態を含む２つの状態のなかで切り替えを行うことができ、より細かく分けると格納状態、突出状態及び中間状態を含む３つの状態のなかで切り替えを行うことができる。
【００７３】
なお、アクチュエータ１１２によりアウトサイドハンドル１１１を変位させる態様としては、アウトサイドハンドル１１１を含むハンドル装置１１０全体を変位させるものであってもよいし、アウトサイドハンドル１１１を単体で移動させるものであってもよい。もっとも、後者の手法であれば、アウトサイドハンドル１１１を単体で移動させたとしても、ラッチ１３１の解除操作が妨げられることがないようにハンドル装置１１０を構成する必要がある。
【００７４】
以下、アウトサイドハンドル１１１の切り替え制御について説明する。図１２は、アウトサイドハンドル１１１の切り替え制御の流れを例示するフローチャートである。ここで、以下の説明では、車両Ｃが駐車中で、ドアロック装置１３０がロック状態であることを前提として説明を行う。この状態において、アウトサイドハンドル１１１は、格納状態に設定されている。
【００７５】
本フローチャートに示す処理は、ドアロック装置１３０に対する解錠信号をトリガーとして、ハンドル制御部１１３により実施される。
【００７６】
まず、ステップ１（Ｓ１）において、ハンドル制御部１１３は、アウトサイドハンドル１１１を突出状態へと切り替える。
【００７７】
ステップ２（Ｓ２）において、ハンドル制御部１１３は、車両Ｃが走行状態であるか否かを判断する。ここで、車両Ｃの走行状態とは、車両Ｃが走行している状態、或いは、車両Ｃが走行可能な状態をいう。具体的には、ハンドル制御部１１３は、シフトポジション信号がパーキング（Ｐ）である場合には、車両Ｃが駐車状態であると判断し、シフトポジション信号がパーキング以外である場合には、車両Ｃが走行状態であると判断する。車両Ｃが走行状態である場合には、ステップ２で肯定判定され、ステップ３（Ｓ３）に進む。一方、車両Ｃが走行状態でない場合には、ステップ２で否定判定され、後述するステップ６（Ｓ６）に進む。
【００７８】
ステップ３において、ハンドル制御部１１３は、アウトサイドハンドル１１１を中間状態へと切り替える。
【００７９】
ステップ４（Ｓ４）において、ハンドル制御部１１３は、走行状態が終了したか否かを判断する。走行状態のままである場合には、ステップ４で否定判定され、ステップ４に戻る。一方、走行状態が終了した場合には、ステップ４で肯定判定され、ステップ５（Ｓ５）に進む。
【００８０】
ステップ５において、ハンドル制御部１１３は、アウトサイドハンドル１１１を突出状態へと切り替える。
【００８１】
ステップ６において、ハンドル制御部１１３は、ドアロック装置１３０に対する施錠信号があったか否かを判断する。施錠信号があった場合には、ステップ６において肯定判定され、ステップ７（Ｓ７）に進む。一方、施錠信号がない場合には、ステップ６において否定判定され、ステップ２に戻る。
【００８２】
ステップ７において、ハンドル制御部１１３は、アウトサイドハンドル１１１を格納状態へと切り替えて、本ルーチンを終了する（ＥＮＤ）。
【００８３】
このように本実施形態に係るリアサイドドア１０２は、その外側意匠面を構成するドアアウタパネル１０３と、ドアアウタパネル１０３に配設されるハンドル装置１１０と、を有している。ここで、ハンドル装置１１０は、ハンドル本体であるアウトサイドハンドル１１１と、アウトサイドハンドル１１１に搭載され、車両Ｃの後方及び後側方を撮像するカメラ１０５と、アウトサイドハンドル１１１を変位させるアクチュエータ１１２と、を有している。このアウトサイドハンドル１１１は、ドアアウタパネル１０３から外方に向かって突出する突出量が、車両Ｃの状態に応じて切り替わる。
【００８４】
この構成によれば、車両Ｃの状態に応じてアウトサイドハンドル１１１の突出量を切り替えることができるので、車体のフラッシュサーフェイス化を実現したり、車両走行時における後方視界を確保したりすることができる。これにより、車両走行時における後方視界の確保と、車体のフラッシュサーフェイス化による意匠性の向上との両立を図ることができる。
【００８５】
また、本実施形態において、アウトサイドハンドル１１１は、格納状態と非格納状態とで切り替わる。
【００８６】
この構成によれば、格納状態においては、フラッシュサーフェイス化を達成することができる。一方、非格納状態においては、カメラ１０５による後方視界を得ることができる。そして、これらの状態を車両Ｃの状態に応じて切り替えることで、車両Ｃ走行時における後方視界の確保と、車体のフラッシュサーフェイス化による意匠性の向上との両立を図ることができる。
【００８７】
また、非格納状態には、突出状態と中間状態とが含まれている。突出状態においては、リアサイドドア１０２の開閉操作を行うことができ、中間状態においては、少なくともカメラ１０５による後方視界を得ることができる。そして、これらの状態を車両Ｃの状態に応じて切り替えることで、ドア開閉の操作性を担保する一方、車両走行時における後方視界を確保しつつ、限定的な突出態様とすることで車体のフラッシュサーフェイス化に寄与することができる。
【００８８】
また、本実施形態において、ドアロック装置１３０が施錠状態の駐車状態にある場合、アウトサイドハンドル１１１は格納状態となり、車両Ｃの非走行状態においてドアロック装置１３０が解錠状態にある場合に、アウトサイドハンドル１１１は突出状態となり、車両Ｃが走行状態にある場合に、アウトサイドハンドル１１１は中間状態となる。
【００８９】
この構成によれば、駐車状態においては、フラッシュサーフェイス化を達成することができる。これにより、駐車時における車両Ｃのデザイン性の向上を図ることができる。また、アウトサイドハンドル１１１が格納されるので、これに搭載されるカメラ１０５も、ドアアウタパネル１０３の内方へと収納される。これにより、車両Ｃの駐車時に、カメラ１０５がいたずらされたり、盗難されたりするといった事態を抑制することができる。
【００９０】
一方、車両Ｃが走行状態ではなく、ドアロック装置１３０が解錠状態とされている場合には、アウトサイドハンドル１１１の操作が予測される。よって、この状態において突出状態となることで、リアサイドドア１０２の開閉が可能となる。
【００９１】
また、車両Ｃが走行状態では、カメラ１０５が外方へと露出するので、当該カメラ１０５により後方視界を認識することができる。
【００９２】
これにより、走行時における電子ミラー装置１２０の機能を妨げたり、リアサイドドア１０２の開閉操作を妨げることなく、フラッシュサーフェイス化を達成することができる。
【００９３】
（第５の実施形態）
以下、第５の実施形態に係る車両用ドアが適用された車両Ｃについて説明する。本実施形態でも、リアサイドドア１０２を例示して説明を行う。なお、第４の実施形態と重複する構成については説明を省略し、相違点を中心に説明を行う。
【００９４】
図１３は、第５の実施形態に係る車両用ドアが適用された車両Ｃの車体側面を示す説明図である。本実施形態において、ドアアウタパネル１０３及びドアアウタパネル１０３から車両後方に連なる車体パネル１０７には、凹状の溝部１０４が設けられている。この凹状の溝部１０４は、アウトサイドハンドル１１１、具体的にはその後端部１１１ｃから車両Ｃの車体後端部Ｃ１まで、車両後方へと延在している。凹状の溝部１０４は、アウトサイドハンドル１１１の後端部１１１ｃに搭載されたカメラ１０５の後方視界を妨げないために設けられたものである。
【００９５】
この凹状の溝部１０４は、アウトサイドハンドル１１１が格納状態にある場合であっても、アウトサイドハンドル１１１の後端部１１１ｃに設けられたカメラ１０５が外部に露出した状態となっている。
【００９６】
本実施形態によれば、凹状の溝部１０４が存在することで、車体に妨げられることなく、車両Ｃの後方の監視範囲を、カメラ１０５の画角に含めることができる。これにより、フラットサーフェイス化を達成しつつ、カメラ１０５による後方視界を適切に得ることができる。
【００９７】
また、本実施形態によれば、第４の実施形態に示すように、アウトサイドハンドル１１１を外方へと突出させることができる。そのため、凹状の溝部１０４を併せて、カメラ１０５による後方視界を適切に得ることができる。
【００９８】
図１４（ａ）から図１４（ｃ）は、凹状の溝部１０４の変形例を説明する図である。図１４（ａ）に示す変形例は、凹状の溝部１０４の幅（高さ方向に沿う長さ）を、アウトサイドハンドル１１１の幅（高さ方向に沿う長さ）よりも大きく設定したものである。この構成によれば、凹状の溝部１０４の幅が大きく設定されているので、カメラ１０５の画角内に入り込む車体の影響を抑えることができる。これにより、カメラ１０５による後方視界を適切に得ることができる。
【００９９】
また、同図に示す変形例では、凹状の溝部１０４は、アウトサイドハンドル１１１よりも前方の所定の位置（例えば、車両Ｃの車体前端部やリアサイドドア１０２の前端部）から車両Ｃの車体後端部Ｃ１まで、車両後方へと延在している。このように、凹状の溝部１０４の起点となる位置は、アウトサイドハンドル１１１（具体的には、その後端部１１１ｃ）に限定されるものではない。
【０１００】
図１４（ｂ）に示す変形例は、凹状の溝部１０４の幅（高さ方向に沿う長さ）を、車両後方に向かうに従って拡幅するように設定したものである。この構成によれば、凹状の溝部１０４の幅が次第に拡幅するので、カメラ１０５の画角内に入り込む車体の影響を抑えることができる。これにより、カメラ１０５による後方視界を適切に得ることができる。
【０１０１】
図１４（ｃ）に示す変形例は、アウトサイドハンドル１１１がドアアウタパネル１０３の後端部に配設されていることを前提としている。この場合、凹状の溝部１０４は、車体パネル１０７の前端部１０７ａから車両Ｃの車体後端部Ｃ１まで、車両後方へと延在している。なお、同図に示す例では、凹状の溝部１０４の幅を、アウトサイドハンドル１１１の幅よりも大きく設定しているが、その幅は、アウトサイドハンドル１１１の幅と対応するものであってもよい。また、図１４（ｂ）に示すように、車両後方に向かうに従って拡幅するような形状であってもよい。
【０１０２】
このように、本実施形態に係るリアサイドドア１０２は、少なくともアウトサイドハンドル１１１から車両後方に至る範囲に設けられた凹状の溝部１０４を備える車体側面を、車体パネル１０７とともに造形するものとして好適である。
【０１０３】
なお、本実施形態では、第４の実施形態に示す、車両Ｃの状態に応じて変位する可動式のアウトサイドハンドル１１１を前提に説明を行ったが、凹状の溝部１０４は、固定式のアウトサイドハンドル１１１に適用してもよい。この場合、当該アウトサイドハンドル１１１にフラッシュサーフェイス化がなされても、凹状の溝部１０４が存在することで、車体に妨げられることなく、車両Ｃの後方の監視範囲を、カメラ１０５の画角に含めることができる。これにより、フラットサーフェイス化を達成しつつ、カメラ１０５による後方視界を適切に得ることができる。
【０１０４】
以上、本実施形態に係る車両用ドアについて説明したが、本開示は上述した実施形態に限定されることなく、その発明の範囲内において種々の変形が可能であることはいうまでもない。
【０１０５】
例えば、本実施形態では、車両用ドアとしてリアサイドドアを例示しているが、フロントサイドドアに適用してもよい。
【０１０６】
なお、本実施形態では、車両用ドアについて説明したが、車両用ドアに搭載されるハンドル装置、それ自体も本開示の一部として機能する。
【０１０７】
同様に、車両用ドアを備える車両についても本開示の一部として機能する。この場合、本開示に係る車両は、上述した車両用ドアと、当該車両用ドアが閉じられた際に、ドアパネルの車両後方に連なり、車両用ドアとともに車体側面を造形する車体パネルと、車体側面に設けられ、少なくともハンドル本体から車両後方に至る凹状の溝部とを備えることを特徴の一つとするものである。もっとも、本開示に係る車両は、このような凹状の溝部や車体パネルを備えることなく、単に、上述した車両用ドアを備える場合であっても成立するものである。
【０１０８】
本発明を詳細にまた特定の実施態様を参照して説明したが、本発明の精神と範囲を逸脱することなく様々な変更や修正を加えることができることは当業者にとって明らかである。
本出願は、２０１６年８月２３日出願の日本特許出願２０１６−１６２６３１および２０１７年２月２４日出願の日本特許出願２０１７−０３３２６０に基づくものであり、その内容はここに参照として取り込まれる。
【符号の説明】
【０１０９】
１        透孔
２        光学レンズ
３        撮像素子
４        ハンドルベース
５        ハンドル本体
６        ミラー
Ｃ        車両
Ｃ１      車両後端部
１０１        フロントサイドドア
１０２        リアサイドドア
１０３        ドアアウタパネル
１０４        溝部
１０７        車体パネル
１１０      ハンドル装置
１１１      アウトサイドハンドル
１１１ａ    外面
１１１ｂ    先端部
１１１ｃ    後端部
１１２      アクチュエータ
１１３      ハンドル制御部
１２０      電子ミラー装置
１２１      電子ミラー制御部
１２２      表示部
１２１ａ    画像取得部
１２１ｂ    画像処理部
１２１ｃ    画像表示部
１３０      ドアロック装置
１３１      ラッチ
【図１】
2018038177.tif 000003
【図２】
2018038177.tif 000004
【図３】
2018038177.tif 000005
【図４】
2018038177.tif 000006
【図５】
2018038177.tif 000007
【図６】
2018038177.tif 000008
【図７】
2018038177.tif 000009
【図８】
2018038177.tif 000010
【図９】
2018038177.tif 000011
【図１０】
2018038177.tif 000012
【図１１】
2018038177.tif 000013
【図１２】
2018038177.tif 000014
【図１３】
2018038177.tif 000015
【図１４】
2018038177.tif 000016
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ドア側壁からの突出部に車両後方に向けて開設された透孔を有し、
前記透孔内に車両後方に向けて配置した光学レンズと撮像素子により車両側壁を含む
車両後方画像を取得する車両のドアアウトサイドハンドル装置。
【請求項２】
ハンドルベースに連結されたハンドル本体を有し、
車両後方からの入射光を車幅内方に向けて反射させるミラーが、前記ハンドル本体に固定され、
前記ミラーに映る車両後方の鏡像を撮影する光学レンズと撮像素子とが、前記ハンドルベースに固定される車両のドアアウトサイドハンドル装置。
【請求項３】
ドアの外側意匠面を構成するドアパネルと、
前記ドアパネルに配設されるハンドル装置と、
を有し、
前記ハンドル装置は、
ハンドル本体と、
前記ハンドル本体に搭載され、車両の後方及び後側方を撮像する撮像部と、
を有し、
前記ハンドル本体は、前記ドアパネルの内方へと格納されて、前ハンドル本体の外面が前記ドアパネルの外面に対して略フラットに並んだ格納状態となる車両用ドア。
【請求項４】
前記ハンドル本体は、
前記ハンドル本体が前記ドアパネルより外方に突出して、前記撮像部が前記ドアパネルの外方に露出する非格納状態に切り替わる請求項３に記載された車両用ドア。
【請求項５】
前記非格納状態は、
前記ハンドル本体の操作が可能な状態まで突出した突出状態と、
前記ハンドル本体の一部が部分的に突出して、前記撮像部が前記ドアパネルの外方に露出する中間状態とを含む請求項４に記載された車両用ドア。
【請求項６】
前記ハンドル装置は、
前記ハンドル本体を変位させる駆動機構を有し、
前記ハンドル本体は、前記ドアパネルから外方に向かって突出する突出量が、車両の状態に応じて切り替わる請求項３又は請求項４に記載された車両用ドア。
【請求項７】
前記ドアに設けられたドアロック装置が施錠状態の駐車状態にある場合、前記ハンドル本体は前記格納状態となり、
車両の非走行状態において前記ドアロック装置が解錠状態にある場合に、前記ハンドル本体は前記突出状態となり、
車両が走行状態にある場合に、前記ハンドル本体は前記中間状態となる請求項６に記載された車両用ドア。
【請求項８】
前記車両用ドアは、当該車両用ドアが閉じられた際に、前記ドアパネルの車両後方に位置する車体パネルとともに車体側面を構成し、
前記車体側面は、少なくとも前記ハンドル本体から車両の後方に至る凹状の溝部を有する請求項３から７のいずれか１項に記載された車両用ドア。
【請求項９】
請求項３から８のいずれか１項に記載された車両用ドアを有する車両。
【手続補正２】
【補正対象書類名】明細書
【補正対象項目名】００１６
【補正方法】変更
【補正の内容】
【００１６】
露出する状態である。この非格納状態は、突出状態と、中間状態とからなる２つの状態を含んでいる。
［００７０］
突出状態は、図１１（ｃ）に示すように、アウトサイドハンドル１１１がドアアウタパネル１０３から完全に突出した状態である。ここで、完全に突出した状態とは、乗員がアウトサイドハンドル１１１に手を掛けて、当該アウトサイドハンドル１１１の操作を行うことができる状態をいう。この突出状態は、後述する中間状態よりも、アウトサイドハンドル１１１が突出した状態にあることから、アウトサイドハンドル１１１に搭載されたカメラ１０５もドアアウタパネル１０３の外方に露出した状態となっている。
［００７１］
中間状態は、図１１（ｂ）に示すように、格納状態と突出状態との中間に位置する状態をいう。具体的には、中間状態は、アウトサイドハンドル１１１の一部が部分的に突出して、アウトサイドハンドル１１１に搭載されたカメラ１０５がドアアウタパネル１０３の外方に露出する状態をいう。本実施形態では、アウトサイドハンドル１１１の後端部１１１ｃにカメラ１０５が搭載されていることから、中間状態では、アウトサイドハンドル１１１の先端部１１１ｂを収容したまま、その後端部１１１ｃ側を部分的に突出した状態とされている。
［００７２］
このように、本実施形態に係るアウトサイドハンドル１１１は、大きく分けると格納状態及び非格納状態を含む２つの状態のなかで切り替えを行うことができ、より細かく分けると格納状態、突出状態及び中間状態を含む３つの状態のなかで切り替えを行うことができる。
［００７３］
なお、アクチュエータ１１２によりアウトサイドハンドル１１１を変位させる態様としては、アウトサイドハンドル１１１を含むハンドル装置１１０全体を変位させるものであってもよいし、アウトサイドハンドル１１１を単体で移動させるものであってもよい。もっとも、後者の手法であれば、アウトサイドハンドル１１１を単体で移動させたとしても、ラッチ１３１の解除操作が妨げられることがないようにハンドル装置１１０を構成する必要がある。
【国際調査報告】
2018038177.tif 000017
2018038177.tif 000018
2018038177.tif 000019
2018038177.tif 000020
2018038177.tif 000021
2018038177.tif 000022